(57)【特許請求の範囲】
【請求項１】
第１空間と第２空間との境界に設けられた開口を形成する開口形成部に設けられ、前記開口を閉塞可能な折戸を有し、前記折戸が有する隣り合う２枚の扉にて互いに隣接して回動自在に連結される隣接端部が前記第１空間側に移動されて前記開口が開放される建具であって、
前記開口形成部に上下方向における一方に突出している突出部を有し、
前記開口形成部の前記突出部が設けられた部位と対向する、前記隣り合う２枚の扉のうちの一方の扉の前記隣接端部側の部位に、上下方向に移動可能な移動片を有し、
前記隣り合う２枚の扉のうちの他方の扉の前記隣接端部側の部位に、前記開口を閉塞することにより前記移動片に近づき、前記開口を開放することにより前記移動片から離れる移動片対応部材を有し、
前記移動片と前記移動片対応部材とは、一方がマグネットを有し、他方がマグネットまたは着磁体を有しており、
前記移動片は、前記折戸により前記開口を閉塞したときに、前記マグネットの磁力が作用することにより引き付けられて、前記突出部の、前記第２空間側にて上下方向における他方に移動して突出し、前記開口を開放するときに、前記磁力の作用が解除されて上下方向における一方に移動して収容されることを特徴とする建具。
【請求項２】
請求項１に記載の建具であって、
前記折戸は、前記隣り合う２枚の扉の前記隣接端部が連結部材を介して連結され、前記第２空間側に位置する回動軸を中心に回動自在に構成されており、
前記移動片は、当該移動片を上下方向に案内するケーシングに収容されて、前記一方の扉の前記隣接端部側に設けられ、
前記移動片対応部材は、前記他方の扉の前記隣接端部側に設けられ、
前記ケーシングと前記移動片対応部材とは、前記開口を閉塞した際に、前記折戸の、前記第１空間側にて互いに当接することを特徴とする建具。
【請求項３】
請求項１または請求項２に記載の建具であって、
前記移動片には、前記移動片対応部材が近づいて作用する磁力により当該移動片が突出される力より小さな外力が、上下方向における一方に作用していることを特徴とする建具。
【請求項４】
請求項３に記載の建具であって、
前記外力は、前記扉側に設けられたマグネットの磁力であることを特徴とする建具。
【請求項５】
請求項１乃至請求項４のいずれかに記載の建具であって、
前記移動片の突出量は、前記開口形成部の前記突出部が設けられている部位と前記移動片が突出する部位との距離より小さいことを特徴とする建具。
【請求項６】
請求項１乃至請求項４のいずれかに記載の建具であって、
前記移動片の突出量は、前記開口形成部の前記突出部が設けられている部位と前記移動片が突出する部位との距離より大きいことを特徴とする建具。
【請求項７】
請求項１乃至請求項６のいずれかに記載の建具であって、
前記移動片の、前記突出部側の部位は、上下方向における他方に向かって前記第１空間側から前記第２空間側に変位していることを特徴とする建具。
【発明の詳細な説明】
【技術分野】
【０００１】
本発明は、開口を形成する開口形成部に回動自在に設けられ、前記開口を閉塞可能な折戸を有する建具に関する。
【背景技術】
【０００２】
開口を形成する開口形成部に回動自在に設けられ、前記開口を閉塞可能な折戸を有する建具としては、例えば、複数枚の戸パネルをヒンジ具で螺着した折り畳み扉(折戸)をレールに走行自在に係合した建具が知られている（例えば、特許文献１参照）。このような建具は、障子からレールに向かって突出させた連結棒をばねにてレール側に付勢するとともに、その先端にテーパー面を有する略円錐状の係止突起を設け、折り畳み扉の閉止時に係止突起とレールとが嵌合するようなラッチ機構が設けられている。折り畳み扉の略円錐状をなす係止突起が嵌合するレールは、断面が略コ字状に形成され、見込み方向に間隔を隔てて平行に立設されている両側片の先端（下レールの上端）が内側に円弧状に折り曲げられている。そして、折り畳み扉を開閉する際には、係止突起がレールに押し上げられて、見込み方向においてレールの両側片の間と外側とを移動するように構成されている。
【先行技術文献】
【特許文献】
【０００３】
【特許文献１】実開昭５２−４４６４１号公報
【発明の概要】
【発明が解決しようとする課題】
【０００４】
上記のような折り畳み扉を有する建具は、折り畳み扉を開閉する際に、レール側に付勢されている係合突起が見込み方向に移動しつつレールに接触し、更に見込み方向に移動されることにより、係合突起は付勢力に反してレールにより押し上げられる。このとき、係止突起がレールと接触する際に発生する衝撃音を小さく抑えることが望まれている。
【０００５】
本発明は、かかる課題に鑑みてなされたものであり、その目的とするところは、折戸により開口を開閉する際のラッチ機構による衝撃音をより小さく抑えることが可能な建具を提供することにある。
【課題を解決するための手段】
【０００６】
かかる目的を達成するために本発明の建具は、第１空間と第２空間との境界に設けられた開口を形成する開口形成部に設けられ、前記開口を閉塞可能な折戸を有し、前記折戸が有する隣り合う２枚の扉にて互いに隣接して回動自在に連結される隣接端部が前記第１空間側に移動されて前記開口が開放される建具であって、前記開口形成部に上下方向における一方に突出している突出部を有し、前記開口形成部の前記突出部が設けられた部位と対向する、前記隣り合う２枚の扉のうちの一方の扉の前記隣接端部側の部位に、上下方向に移動可能な移動片を有し、前記隣り合う２枚の扉のうちの他方の扉の前記隣接端部側の部位に、前記開口を閉塞することにより前記移動片に近づき、前記開口を開放することにより前記移動片から離れる移動片対応部材を有し、前記移動片と前記移動片対応部材とは、一方がマグネットを有し、他方がマグネットまたは着磁体を有しており、前記移動片は、前記折戸により前記開口を閉塞したときに、前記マグネットの磁力が作用することにより引き付けられて、前記突出部の、前記第２空間側にて上下方向における他方に移動して突出し、前記開口を開放するときに、前記磁力の作用が解除されて上下方向における一方に移動して収容されることを特徴とする建具である。
【０００７】
このような建具によれば、折戸が有する隣り合う２枚の扉のうちの一方に設けられている移動片と、他方に設けられている移動片対応部材は、いずれか一方がマグネットを有し、他方がマグネットまたは着磁体を有しており、移動片は開口を閉塞したときに、移動片対応部材が近づいて磁力が作用することにより突出部の第２空間側にて上下方向における他方に移動して突出する。すなわち、折戸の隣接端部が第１空間側に移動されて開口が開放される建具が有する、折戸の隣接端部側の部位に設けられた移動片は、開口が閉塞されたときに磁力が作用して、突出部の第２空間側にて上下方向における他方に突出するので、移動片が突出する際に移動片が突出部と接触し難い。このため、移動片と突出部とで構成されるラッチ機構において、折戸の開閉時におけるラッチ機構による衝撃音をより小さく抑えることが可能な建具を提供することが可能である。このとき、移動片は、当該移動片及び移動片対応部材のいずれか一方に設けられたマグネットと他方に設けられたマグネットまたは着磁体が、開口を閉塞することにより近づいて磁力が作用し、折戸を畳んで開口を開放することにより離れて磁力の作用が解除されて移動する。マグネットの磁力は距離の２乗に反比例するので、移動片と移動片対応部材とが近接している状態から離間する際、また、離間している状態から近接する際において、作用する磁力の変化は大きい。このため、マグネットの磁力により移動する移動片を素早く移動させることが可能であり、折戸の隣接端部の見込み方向の移動に対し、移動片が移動する範囲を狭くすることが可能である。このため、突出部に移動片がより接触しにくいので、折戸により開口を開閉する際の衝撃音をより小さく抑えることが可能である。
【０００８】
かかる建具であって、前記折戸は、前記隣り合う２枚の扉の前記隣接端部が連結部材を介して連結され、前記第２空間側に位置する回動軸を中心に回動自在に構成されており、前記移動片は、当該移動片を上下方向に案内するケーシングに収容されて、前記一方の扉の前記隣接端部側に設けられ、前記移動片対応部材は、前記他方の扉の前記隣接端部側に設けられ、前記ケーシングと前記移動片対応部材とは、前記開口を閉塞した際に、前記折戸の、前記第１空間側にて互いに当接することが望ましい。  
このような建具によれば、移動片が収容されて上下方向に案内されるケーシングと移動片対応部材とが設けられる、２枚の扉の隣接端部が連結部材を介して回動する回動軸は第２空間側に位置しており、ケーシングと移動片対応部材とは第１空間側に位置しているので、ケーシングと移動片対応部材は、回動軸から離れた位置に配置されている。このため、回動軸を中心として回動した際の移動量が回動軸側より大きくなるので、開口を閉塞した状態の折戸が回動した際に、作用する磁力の大きさをより確実に変化させることが可能である。すなわち、開口を開き始めるときに、より正確に移動片を上下方向における一方に移動させることが可能であり、開口を閉塞するときには、より短い時間で磁力を作用させて移動片を突出させることが可能である。さらに、開口を閉塞した際には、ケーシングと移動片対応部材が回動軸と反対側にて当接されるので、２枚の扉が、閉止状態を超えて回動されることを防止することが可能である。
【０００９】
かかる建具であって、前記移動片には、前記移動片対応部材が近づいて作用する磁力により当該移動片が突出される力より小さな外力が、上下方向における一方に作用していることが望ましい。
このような建具によれば、移動片対応部材が移動片に近づいて磁力が作用すると、作用した磁力は、移動片に作用している外力より力が大きいので移動片は突出し、移動片対応部材が移動片から遠ざかって磁力が弱まり外力の方が大きくなると、移動片は外力により上下方向における一方に移動される。このため、移動片をより正確に上下方向における一方に移動させることが可能である。また、移動片に作用している外力は、移動片対応部材が近づいて作用する磁力より小さいので、移動片対応部材が移動片に近づいた際には、確実に上下方向における他方に突出させることが可能である。
【００１０】
かかる建具であって、前記外力は、前記扉側に設けられたマグネットの磁力であることが望ましい。  
このような建具によれば、移動片に上下方向における一方に向かって作用している外力は、扉側に設けられたマグネットの磁力なので、扉側にマグネットを設けるだけの簡単な方法にて、移動片をより正確に上下方向における一方に移動させることが可能である。
【００１１】
かかる建具であって、前記移動片の突出量は、前記開口形成部の前記突出部が設けられている部位と前記移動片が突出する部位との距離より小さいことが望ましい。  
このような建具によれば、移動片の突出量は、開口形成部の突出部が設けられている部位と移動片が突出する部位との距離より小さいので、移動片が突出した際に、突出部が設けられている部位に当接しない。このため、移動片が突出することによる音の発生を抑えることが可能である。
【００１２】
かかる建具であって、前記移動片の突出量は、前記開口形成部の前記突出部が設けられている部位と前記移動片が突出する部位との距離より大きいことが望ましい。  
このような建具によれば、移動片の突出量は、開口形成部の突出部が設けられている部位と移動片が突出する部位との距離より大きいので、第２空間側に突出する移動片の先端を、開口形成部の突出部が設けられている部位、すなわち、突出部の基端部の位置まで到達させることが可能である。このため、移動片は確実に突出部と係合するので、折戸の設置時に、折戸の上下方向の位置や移動片の突出量を調整することなく移動片を突出部に確実に係合させることが可能な施工性に優れた建具を提供することが可能である。
【００１３】
かかる建具であって、前記移動片の、前記突出部側の部位は、上下方向における他方に向かって前記第１空間側から前記第２空間側に変位していることが望ましい。  
このような建具によれば、移動片の、突出部側の部位は、上下方向における他方に向かって第１空間側から第２空間側に変位しているので、開口を閉塞する際に、突出部と、移動片とが対向する位置にて磁力が作用し、移動片が突出しても、突出部の先端は、移動片の、上下方向における他方に向かって第１空間側から第２空間側に変位している部位に接触する。このため、移動片は、突出部に案内されて第２空間側にて突出するので、音の発生を抑えつつ移動片を突出部の第２空間側に突出させることが可能である。
【発明の効果】
【００１４】
本発明によれば、折戸により開口を開閉する際のラッチ機構による衝撃音をより小さく抑えることが可能な建具を提供することが可能である。
【図面の簡単な説明】
【００１５】
【図１】本実施形態に係る建具を浴室側から見た外観図である。
【図２】図１のＡ−Ａ断面図である。
【図３】折れ戸の開閉時における吊元扉と移動扉とが回動する状態を説明する横断面図である。
【図４】図４（ａ）は、図３のＢ部拡大図であり、図４（ｂ）は、図３のＣ部拡大図である。
【図５】吊元扉側ラッチ部材を示す斜視図である。
【図６】移動扉側ラッチ部材を示す斜視図である。
【図７】図７（ａ）は、開口を閉塞したときの吊元扉側ラッチ部材と移動扉側ラッチ部材との配置を示す平面図であり、図７（ｂ）は、開口を開放したときの吊元扉側ラッチ部材と移動扉側ラッチ部材との配置を示す平面図である。
【図８】図８（ａ）は、吊元扉側ラッチ部材に設けられたマグネットの磁力が作用しているときの移動片の状態を示す図７（ａ）のＤ−Ｄ断面図であり、図８（ｂ）は、吊元扉側ラッチ部材に設けられたマグネットの磁力が作用していないときの移動片の状態を示す図７（ａ）のＤ−Ｄ断面図である。
【発明を実施するための形態】
【００１６】
以下、本発明の一実施形態に係る建具について図面を参照して説明する。  
本実施形態では、図１〜図３に示すように、第１空間としての浴室と第２空間としての脱衣室との境界に設けられ、浴室と脱衣室とを仕切る障子としての折戸２２を備えた浴室用の建具１を例に挙げて説明する。
【００１７】
以下の説明においては、建物等に取り付けられた状態の浴室用の建具１を浴室側から見たときに、上下となる方向を上下方向、左右となる方向を左右方向または見付け方向、室内外方向である奥行き方向を見込み方向として示す。また、浴室用の建具１が備える各部材は、単体として説明する場合であっても、建物等に取り付けられた状態で上下方向、見付け方向、見込み方向等となる方向にて方向を特定して説明する。
【００１８】
本実施形態の建具１は、枠体１３と、枠体１３内に装着され、連結部材９にて回動自在に連結された２枚の扉１４、１５が折り畳み可能な折戸２２と、を有している。本実施形態では、図１、図３において右側に位置する扉が吊元扉１４をなし、左側に位置する扉が移動扉１５をなしている。
【００１９】
枠体１３は、浴室と脱衣室とを連通する開口１３ａを形成する開口形成部の一例であり、開口１３ａの上方に位置する上枠１０と、開口１３ａの下方に位置する下枠１１と、開口１３ａの見付け方向における両側に配置される左右の縦枠１２とが矩形状に枠組みされている。上枠１０、下枠１１、左右の縦枠１２は、いずれも押出成形部材であり、矩形状に形成された際に開口１３ａの内周側に水密部材が開口１３ａを囲むように設けられている。
【００２０】
また、上枠１０とには、見付け方向のほぼ全域にわたって、上下方向における一方としての下方向に突出させて、折戸２２のガイドをなす突出部としての上レール１０ａが設けられている。より具体的には、図２に示すように、上枠１０には、下枠１１と対向する平坦な下面部１０ｂを有する上枠本体部１０ｃの、見込み方向において中央より浴室側に位置させて上レール１０ａが垂設されている。
【００２１】
吊元扉１４及び移動扉１５はそれぞれ、透光性を有する樹脂製やガラス製の面材２３を有している。吊元扉１４は、面材２３を囲むように上框１７及び下框１８の両端部側に吊元框２１と縦中框２０とが配置されて、吊元框２１と縦中框２０側から上框１７、下框１８側に進入するビスにて螺着されて矩形状に框組みされている。また、移動扉１５は面材２３を囲むように上框１７及び下框１８の両端部側に戸先框１９と縦中框２０とが配置されて、戸先框１９と縦中框２０側から上框１７、下框１８側に進入するビスにて螺着されて矩形状に框組みされている。
【００２２】
移動扉１５の戸先框１９側の上端部及び下端部には、上枠１０及び下枠１１の上レール１０ａ及び下レール１１ａと係合して、回動しつつ見付け方向に移動可能な摺動ブロック（不図示）が設けられている。このため、浴室側のハンドル２５が浴室側に引かれるか、または、脱衣室側のハンドル２８が浴室側に押されると、図３に示すように、吊元扉１４及び移動扉１５の縦中框２０が連結部材９に対してそれぞれ回動しつつ浴室側に移動し、移動扉１５の戸先側の摺動ブロック２４が上レール１０ａ、及び、下レール１１ａ沿って吊元框２１側に移動することにより、吊元扉１４及び移動扉１５が折り畳まれて開口１３ａが開放される。
【００２３】
吊元扉１４と移動扉１５との間には、図３、図４に示すように、吊元扉１４の縦中框２０の端部と移動扉１５の縦中框２０の端部とわたって連結部材９が設けられており、２つの縦中框２０が連結部材９と係合して吊元扉１４と移動扉１５とが回動するように構成されている。すなわち、吊元扉１４の縦中框２０が吊元扉１４の隣接端部の一例であり、移動扉１５の縦中框２０が移動扉１５の隣接端部の一例である。
【００２４】
吊元扉１４の縦中框２０と移動扉１５の縦中框２０とは同一の押出成形部材であり、左右方向を反転させた状態にて配置されている。このため、ここでは吊元扉１４の縦中框２０を例に挙げて吊元扉１４と移動扉１５とが回動する機構を説明する。
【００２５】
吊元扉１４の縦中框２０は、上下方向に連通する中空部を有し、水平断面形状がほぼ矩形状をなす縦中框本体２０ａと、開口１３ａを閉塞した状態において縦中框本体２０ａの脱衣室に臨む面を有する脱衣室側壁部２０ｂから縦中框２０の外周側に延出された延出壁部２０ｃと、延出壁部２０ｃの先端、すなわち吊元扉１４の端部であり連結部材９と係合するフック部２０ｄと、縦中框本体２０ａの浴室に臨む面を有する浴室側壁部２０ｅから吊元扉１４において縦中框２０の外周側に向かって脱衣室側に湾曲するように延出された湾曲壁部２０ｆと、を有している。フック部２０ｄの先端と湾曲壁部２０ｆの先端との間には空隙が設けられており、フック部２０ｄの先端と湾曲壁部２０ｆの先端との間を開口２０ｇとし、縦中框本体２０ａとフック部２０ｄ及び湾曲壁部２０ｆにて囲まれた空間２０ｈが形成されている。この空間２０ｈ内には、吊元扉１４と移動扉１５の間に配置される連結部材９が、吊元扉１４の空間２０ｈから移動扉１５の空間２０ｈにわたって配置されて、吊元扉１４と移動扉１５とが連結されている。
【００２６】
連結部材９は、吊元扉１４と移動扉１５とほぼ同じ長さを有する押出成形部材でなる連結縦材２６と、連結縦材２６に係止されて吊元扉１４と移動扉１５との回動を案内する案内部材２７と、を有している。
【００２７】
連結縦材２６は、外形の断面形状がほぼ半円形状の円弧をなし、浴室側に湾曲して脱衣室側に凹部を形成する外周壁部２６ａと、外周壁部２６ａが形成する凹部内の中央に、脱衣室側に向かって突出された突出片２６ｂと、外周壁部２６ａの先端から互いに対向する方向に突出されて案内部材２７を係止する係止片２６ｃと、を有している。対向する２つの係止片２６ｃの先端は、左右方向に間隔が隔てられており、２つの係止片２６ｃの先端の間が開口となる外周壁部２６ａの凹部内に、案内部材２７が収容されるとともに、係止片２６ｃにより外周壁部２６ａに係止される。
【００２８】
案内部材２７は、上下方向の長さが、連結縦材２６より短い樹脂製の成形部材であり、連結縦材２６に複数、例えば４つ上下方向に適宜間隔を隔てて嵌合されている。ここで、案内部材は樹脂製に限るものではない
案内部材２７は、連結縦材２６の突出片２６ｂと係合する係合凹部２７ａを有し、外周壁部２６ａの凹部の浴室側の約半分を占める本体部２７ｂと、本体部２７ｂの左右の端部から脱衣室側に延出されて連結縦材２６の係止片２６ｃに係止される、左右の延出係止片２７ｃと、左右の延出係止片２７ｃの先端から互いに対向する方向に突出されて吊元扉１４と移動扉１５のフック部２０ｄと係合する回動係合片２７ｄと、左右の延出係止片２７ｃの左右方向における中央に本体部２７ｂから脱衣室に向かって突出された中央突出部２７ｅと、を有している。
【００２９】
中央突出部２７ｅは、見込み方向において、左右の回動係合片２７ｄの位置とほぼ同じ位置まで突出されており、中央突出部２７ｅの先端と左右の回動係合片２７ｄとの、見付け方向における間には、空隙が設けられている。また、中央突出部２７ｅには、脱衣室側となる先端側から弧を描く側壁面２７ｆが左右にそれぞれ設けられている。そして、中央突出部２７ｅの側壁面２７ｆと、左右の延出係止片２７ｃ及び回動係合片２７ｄとにて、脱衣室側と繋がった空隙２７ｇが、中央突出部２７ｅの両側に形成されている。
【００３０】
吊元扉１４及び移動扉１５と連結部材９とは、図３に示すように、折戸２２により開口１３ａを閉塞した状態にて、吊元扉１４の縦中框２０と移動扉１５の縦中框２０とが、吊元扉１４と移動扉１５との相対位置を維持すべく中央突出部２７ｅを介して突き合わされて直線状に並ぶように、連結部材９を介して吊元扉１４と移動扉１５とが配置される。すなわち、中央突出部２７ｅは、吊元扉１４と移動扉１５との相対位置を維持するスペーサーの機能も有している。
【００３１】
折戸２２により開口１３ａを閉塞した状態にて、連結部材９は、中央突出部２７ｅが、左右の回動係合片２７ｄに係合された吊元扉１４のフック部２０ｄ及び移動扉１５のフック部２０ｄの間に位置している。また、左右の回動係合片２７ｄに係合された吊元扉１４のフック部２０ｄ及び移動扉１５のフック部２０ｄの浴室側には空隙２７ｇが設けられている。
【００３２】
そして、開口１３ａを開放すべく移動扉１５の戸先框１９を右方向、すなわち、吊元框２１側に移動させると、吊元扉１４及び移動扉１５が回動しつつ、連結部材９により連結された吊元扉１４及び移動扉１５の縦中框２０が浴室側に移動する。このとき、吊元扉１４のフック部２０ｄ及び移動扉１５のフック部２０ｄは、左右の回動係合片２７ｄと延出係止片２７ｃと境界となる角部を回動軸Ｐとしてフック部２０ｄの先端側が側壁面２７ｆに沿わされつつ空隙２７ｇの奥側に移動して吊元扉１４及び移動扉１５が回動する。すなわち、吊元扉１４及び移動扉１５が回動する回動軸Ｐは、折戸２２の脱衣室側に位置している。
【００３３】
折戸２２の上端部には、上レール１０ａとともに、折戸２２により開口１３ａを閉塞した状態に維持するためのラッチ機構５を構成するラッチ本体５０が設けられている。ラッチ本体５０は、吊元扉１４の側に設けられた移動片対応部材としての吊元扉側ラッチ部材５１と、移動扉１５側に設けられた移動扉側ラッチ部材５３と、を有している。
【００３４】
吊元扉側ラッチ部材５１は、吊元扉１４の縦中框２０の上端部に挿入され、縦中框２０の上端の小口を覆うように設けられている。移動扉側ラッチ部材５３は、移動扉１５の縦中框２０の上端部に挿入され、縦中框２０の上端の小口を覆うように設けられている。
【００３５】
吊元扉側ラッチ部材５１は、図５に示すように、吊元扉１４の縦中框２０の小口を覆う吊元キャップ部５１ａと、吊元キャップ部５１ａから垂設され吊元扉１４の縦中框２０が有する縦中框本体２０ａ内に挿入されて嵌合する吊元嵌合部５１ｂと、吊元嵌合部５１ｂが縦中框２０に嵌合されたときに、連結部材９の連結縦材２６が有する外周壁部２６ａの浴室側に突出し、マグネット６０が移動不能に収容された吊元側マグネット収容部５１ｃと、を有している。吊元扉側ラッチ部材５１は、吊元キャップ部５１ａと吊元嵌合部５１ｂと吊元側マグネット収容部５１ｃとが一体に形成された樹脂製の部材である。
【００３６】
移動扉側ラッチ部材５３は、図６に示すように、上下方向に移動可能に設けられた移動片５４と、移動片５４を収容するとともに上下方向に案内するケーシング５５とを有している。
【００３７】
ケーシング５５は、移動扉１５の縦中框２０における浴室側の上端部が切り欠かれた部位に取り付けられる。ケーシング５５は、移動扉１５の縦中框２０の脱衣室側の小口を覆う移動扉側キャップ部５５ａと、移動扉側キャップ部５５ａから垂設され移動片５４が上下方向に移動可能に収容される移動片収容部５５ｂとを有している。移動片収容部５５ｂは、移動扉１５の縦中框２０切り欠かれた部位から浴室側に露出して、切り欠かれて残った脱衣室側の部位に嵌め込まれる脱衣室側嵌込部５５ｃと、脱衣室側嵌込部５５ｃが縦中框２０に嵌め込まれたときに、連結部材９の連結縦材２６が有する外周壁部２６ａの浴室側に突出する突出収容部５５ｄとを有している。脱衣室側嵌込部５５ｃと突出収容部５５ｄは内側にて連通しており、脱衣室側嵌込部５５ｃには、収容される移動片５４を案内する案内壁部５５ｅが設けられ、脱衣室側嵌込部５５ｃ上の移動扉側キャップ部５５ａには、移動片５４のラッチ片５４ａが突出する挿抜穴５５ｆが設けられている。また、突出収容部５５ｄの下端をなす底部５５ｇにはマグネット５６が移動不能に設けられている。ケーシング５５は、移動扉側キャップ部５５ａと移動片収容部５５ｂとが一体に形成された樹脂製の部材である。
【００３８】
移動片５４は、脱衣室側嵌込部５５ｃに収容され、上部に、ケーシング５５の挿抜穴５５ｆから突出するラッチ片５４ａが設けられた移動片本体５４ｂと、突出収容部５５ｄに収容され、マグネット６１が収容される移動側マグネット収容部５４ｃと、移動片本体５４ｂの浴室側の部位と移動側マグネット収容部５４ｃの脱衣室側の部位とが見付け方向に並ぶ位置にて移動片本体５４ｂと移動側マグネット収容部５４ｃとを連結する連結部５４ｄとを有している。移動片本体５４ｂと移動側マグネット収容部５４ｃと連結部５４ｄとは、収容される移動片収容部５５ｂの高さのほぼ半分の高さを有しており、移動片本体５４ｂ上に設けられたラッチ片５４ａを挿抜穴５５ｆから突出させて、移動片収容部５５ｂの高さのほぼ半分の高さを上下に移動可能に構成されている。移動片５４は、ラッチ片５４ａ、移動片本体５４ｂ、移動側マグネット収容部５４ｃ、及び、連結部５４ｄが一体に形成された樹脂製の部材である。
【００３９】
ラッチ片５４ａは、移動片５４がケーシング５５の下端側に位置しているときに、挿抜穴５５ｆから突出しない高さを有しており、図２に示すように、開口１３ａが閉塞されて突出したときに上レール１０ａと対向する対向部５４ｅは、上方に向かって浴室側から脱衣室側に変位する湾曲形状をなしている。このため、ラッチ片５４ａが上レール１０ａの直下に位置したときにラッチ片５４ａが上下方向における他方としての上方向に突出しても、上レール１０ａにラッチ片５４ａの対向部５４ｅが摺接して脱衣室側に案内されることにより、吊元扉１４及び移動扉１５の縦中框２０側が脱衣室側に移動されるように構成されている。また、開口１３ａが閉塞された状態にて、上レール１０ａの下端がラッチ片５４ａの対向部５４ｅに当接するように構成すると、開口１３ａを開放する際に、折戸２２の移動に伴ってラッチ片５４ａが上レール１０ａに押圧されるので、移動片５４をケーシング５５内に引き込ませることが可能となる。
【００４０】
本実施形態のラッチ機構５では、吊元側マグネット収容部５１ｃに収容されたマグネット６０と移動側マグネット収容部５４ｃに収容されたマグネット６１とが互いに引き付け合うように設定されており、移動側マグネット収容部５４ｃに収容されたマグネット６１とケーシング５５に設けられたマグネット５６とが互いに引き付け合うように設定されている。また、マグネット６０とマグネット６１とが引き付け合う力の方が、マグネット６１とマグネット５６とが引き付け合う力より大きく設定されている。
【００４１】
この浴室用の建具１は、図１、図７（ａ）に示すように、折戸２２により開口１３ａを閉塞した状態で、吊元扉１４に設けられた吊元扉側ラッチ部材５１において浴室側に突出している吊元側マグネット収容部５１ｃと、移動扉１５に設けられた移動扉側ラッチ部材５３において浴室側に突出している移動側マグネット収容部５４ｃとが見付け方向にて近接又は当接して並ぶように配置される。このとき、吊元扉側ラッチ部材５１の吊元側マグネット収容部５１ｃに収容されて折戸２２の上端側に配置されたマグネット６０の磁力により、移動側マグネット収容部５４ｃに収容されたマグネット６１が引き付けられることにより、図８（ａ）に示すように移動片５４はケーシング５５内の上部側に位置している。このため、ケーシング５５の挿抜穴５５ｆからラッチ片５４ａが、上レール１０ａの脱衣室側にて突出している。
【００４２】
そして、開口１３ａを開放する際には、吊元扉１４と移動扉１５との縦中框２０を浴室側に押し出すように操作する。このとき、吊元扉１４と移動扉１５とは、折戸２２の脱衣室側に位置する、案内部材２７の左右の回動係合片２７ｄと延出係止片２７ｃと境界となる角部を回動軸Ｐとして回動する。吊元扉１４と移動扉１５との回動に伴って、折戸２２の浴室側に位置している、吊元側マグネット収容部５１ｃと移動側マグネット収容部５４ｃとの間の距離が開き始めると、この距離の２乗に反比例して磁力が低下する。そして、マグネット６０とマグネット６１とが引き付け合う力より、移動片５４の自重及びマグネット６１とマグネット５６とが引き付け合う力が大きくなると、図８（ｂ）に示すように、移動片５４が降下しラッチ片５４ａが脱衣室側嵌込部５５ｃに収容されることにより、上レール１０ａによる、吊元扉１４と移動扉１５との縦中框２０の浴室側への移動の規制が解除されて開口１３ａを開放することが可能となる。
【００４３】
また、折戸２２により開口１３ａを閉塞する際には、吊元扉１４と移動扉１５との縦中框２０が浴室側から脱衣室側に移動するように操作する。このとき、吊元扉１４と移動扉１５とは、折戸２２の脱衣室側に位置する、案内部材２７の左右の回動係合片２７ｄと延出係止片２７ｃと境界となる角部を回動軸Ｐとして回動する。
【００４４】
吊元扉１４と移動扉１５との回動に伴って、折戸２２の浴室側に位置している、吊元側マグネット収容部５１ｃと移動側マグネット収容部５４ｃとが近づき始める。そして、折戸２２により開口１３ａが完全に閉塞される前にて、吊元側マグネット収容部５１ｃと移動側マグネット収容部５４ｃとが近接し、マグネット６０とマグネット６１との磁力により引き付け合う力が、移動片５４の自重及びマグネット６１とマグネット５６との磁力により引き付け合う力より大きくなると、マグネット６０の磁力により移動片５４が引き付けられることにより、図８（ａ）に示すように、移動片５４が上昇し、ラッチ片５４ａが挿抜穴５５ｆから上方に突出する。このとき、折戸２２は、ほぼ見付け方向に沿うように吊元扉１４と移動扉１５とが配置されて、開口１３ａを閉塞した状態とほぼ同じ位置に位置しているため、ラッチ片５４ａは上レール１０ａの脱衣室側に配置される。
【００４５】
このようにラッチ片５４ａが上レール１０ａの脱衣室側に突出することにより吊元扉１４と移動扉１５との縦中框２０の浴室側への移動が規制される。このとき、移動片５４は、ラッチ片５４ａの最大突出量が、上レール１０ａが設けられている上枠１０の下面部１０ｂとラッチ片５４ａが突出する移動扉側キャップ部５５ａの上面との距離より大きいので、ラッチ片５４ａの先端を、上レール１０ａの基端部、すなわち、上枠１０の下面部１０ｂまで到達させることが可能である。また、このとき、ラッチ片５４ａが係合する上レール１０ａは上下方向における突出量が一定なので、たとえ上枠１０の捩れや反りなどによる寸法の誤差が生じたとしても、折戸２２の設置時に折戸２２の上下方向の位置やラッチ片５４ａの突出量を調整することなく、ラッチ片５４ａと上レール１０ａとを設計通りの係合量を確保して確実に係合させることが可能である。このため、より施工性に優れた建具を実現することが可能である。この場合には、ラッチ片５４ａが上枠１０の下面部１０ｂに当接する設計上の突出量に、想定される上記寸法の誤差を加えた量をラッチ片５４ａの最大突出量としておくことが望ましい。また、このとき、上枠１０の下面部１０ｂまたはラッチ片５４ａの上部に緩衝材を備えておくと、ラッチ片５４ａが上枠１０の下面部１０ｂに接触する際の音も軽減することが可能である。
【００４６】
本実施形態の建具１によれば、折戸２２を構成する吊元扉１４と移動扉１５のうちの移動扉１５に設けられている移動片５４と、吊元扉１４に設けられている吊元扉側ラッチ部材５１とが、それぞれマグネット６０、６１を有しており、移動片５４は折戸２２により開口１３ａを閉塞したときに、吊元扉側ラッチ部材５１が近づいて磁力が作用することにより上レール１０ａの脱衣室側にて上方に向かって突出する。このように折戸２２の縦中框２０が浴室側に移動されて開口１３ａが開放される建具１が有する、折戸２２の縦中框２０に設けられた移動片５４は、折戸２２により開口１３ａが閉塞されたときに磁力が作用して、上レール１０ａの脱衣室側にて上方向に向かって突出するので、移動片５４が突出する際にラッチ片５４ａが上レール１０ａと接触し難い。このため、移動片５４と上レール１０ａとを有するラッチ機構５において、折戸２２により開口１３ａを開閉する際のラッチ機構５による衝撃音を小さく抑えることが可能な建具１を提供することが可能である。このとき、移動片５４は、当該移動片５４及び吊元扉側ラッチ部材５１に設けられたマグネット６０、６１が、開口１３ａを閉塞することにより近づいて磁力が作用し、開口１３ａを開放することによりマグネット６０、６１が離れて磁力の作用が解除される、磁力の変化により移動する。マグネット６０、６１の磁力は距離の２乗に反比例するので、移動片５４と吊元扉側ラッチ部材５１との距離の変化に対し、作用する磁力の変化が大きい。このため、マグネット６０、６１の磁力により移動する移動片５４を素早く移動させることが可能であり、折戸２２の縦中框２０の見込み方向の移動に対し、移動片５４が移動する範囲を狭くすることが可能である。このため、上レール１０ａに移動片５４がより接触しにくいので、折戸２２により開口１３ａを開閉する際の衝撃音を小さく抑えることが可能である。
【００４７】
また、移動片５４が収容されて上方向に案内されるケーシング５５と吊元扉側ラッチ部材５１とが設けられる、吊元扉１４と移動扉１５の縦中框２０が連結部材９を介して回動する回動軸Ｐは脱衣室側に位置しており、マグネット６０を備える吊元扉側ラッチ部材５１とマグネット６１を備えるケーシング５５とは浴室側に位置しており、ケーシング５５と吊元扉側ラッチ部材５１は、回動軸Ｐから離れて位置している。このため、回動軸Ｐを中心として回動した際の移動量が回動軸Ｐ側より大きくなるので、開口１３ａを閉塞した状態から回動した際に、マグネット６０、６１は離間され、距離の変化に対する磁力の変化がおこることにより、より確実に磁力の作用を低減させることが可能である。すなわち、開き始めるときに、より正確に移動片５４を下方側に移動させることが可能である。また、開口１３ａを閉塞した際には、ケーシング５５と吊元扉側ラッチ部材５１が回動軸Ｐと反対側にて当接されるので、吊元扉１４と移動扉１５が、閉止状態を超えて回動されることを防止することが可能である。
【００４８】
また、ケーシング５５の底部５５ｇに、マグネット６０、６１の磁力により移動片５４を下方へ、作用する力より小さな磁力にて移動片５４を引き寄せるマグネット５６を備えたので、吊元扉側ラッチ部材５１が移動片５４に近づいて磁力が作用すると、作用した磁力は、移動片５４に作用しているマグネット５６の磁力より大きいので移動片５４は突出し、吊元扉側ラッチ部材５１が移動片５４から遠ざかって磁力が弱まりマグネット５６の磁力の方が大きくなると、移動片５４はマグネット５６の磁力により下方側に移動される。このため、移動片５４をより正確に下方側に移動させることが可能である。また、移動片５４に作用しているマグネット５６の磁力は、吊元扉側ラッチ部材５１が近づいて作用する磁力より小さいので、吊元扉側ラッチ部材５１が移動片５４に近づいた際には、より確実に上方側に突出させることが可能である。
【００４９】
また、突出した移動片５４を引き寄せる外力を、ケーシング５５の底部５５ｇに備えたマグネット５６の磁力としたので、マグネット５６を設けるだけの簡単な方法にて、移動片５４をより正確に突出方向と反対の下方側に移動させることが可能である。
【００５０】
また、移動片５４の、突出した部分における対向部５４ｅと移動片本体５４ｂとの間に、開口１３ａを閉塞した状態において上レール１０ａと対向する鉛直面を設けておいても良い。この場合には、突出した移動片５４は、少なくとも一部が上レール１０ａと鉛直面にて対向するので、折戸２２により開口１３ａを閉塞した状態を維持しやすい建具１を提供することが可能である。
【００５１】
上記実施形態においては、吊元側マグネット収容部５１ｃと移動側マグネット収容部５４ｃとが近接すると、マグネット６０の磁力により移動片５４が引き付けられて移動片５４が上昇し、ラッチ片５４ａが挿抜穴５５ｆから上方に突出する例について説明したが、これに限るものではない。たとえば、吊元側マグネット収容部５１ｃに収容されたマグネット６０と移動側マグネット収容部５４ｃに収容されたマグネット６１とが互いに反発し合うように設定し、吊元側マグネット収容部５１ｃと移動側マグネット収容部５４ｃとが近接すると、マグネットの反発により移動片５４が上昇するように構成してもよい。
【００５２】
上記実施形態においては、ラッチ機構５を、吊元扉１４及び移動扉１５が有する縦中框２０の上端部に設けられたラッチ本体５０と上レール１０ａとで構成した例について説明したが、これに限るものではない。例えば、ラッチ本体５０を吊元扉１４及び移動扉１５が有する縦中框２０の下端部に設け、開口１３ａを閉塞して吊元扉１４及び移動扉１５の縦中框２０が近接又は当接している状態にて、マグネットの磁力により移動片を上方に引き上げておき、折戸２２が開き始めて吊元扉１４及び移動扉１５の縦中框２０が離れ始めたときに、磁力の作用が低下して移動片が降下して、下レールの脱室側に突出する構成としても良い。また、ラッチ機構５を、折戸２２の上下にそれぞれ設けても構わない。
【００５３】
また、上記実施形態においては、吊元扉側ラッチ部材５１と移動扉側ラッチ部材５３とにそれぞれマグネット６０、６１を備えた例について説明したが、吊元扉側ラッチ部材５１と移動扉側ラッチ部材５３のいずれか一方を、マグネットに引き付けられる着磁体にて構成しても良い。
【００５４】
また、吊元扉側ラッチ部材５１のマグネット６０により引き付けられて突出した移動片５４を収容するために、移動扉側ラッチ部材５３が有するケーシング５５の底部５５ｇにマグネット５６を備えた例について説明したが、移動片５４の自重により移動片５４を収容する方向に移動可能であれば、マグネット５６を備える必要はない。このとき、移動片５４がマグネット６１を備えている場合には、ケーシング５５の底部５５ｇに着磁体を備えておいてもよい。また、移動片５４を収容するために移動片５４を突出方向と反対方向に付勢する、例えば、ばね等の付勢部材を備えていても良い。
【００５５】
上記実施形態においては、移動片５４の最大突出量を、上枠１０の下面部１０ｂとラッチ片５４ａが突出する移動扉側キャップ部５５ａの上面との距離より大きく設定した例について説明したが、移動片５４の最大突出量を、上枠１０の下面部１０ｂとラッチ片５４ａが突出する移動扉側キャップ部５５ａの上面との距離より小さく設定してもよい。この場合には、移動片５４が突出した際に、上枠１０の下面部１０ｂに移動片５４が当接しないので、移動片５４が突出することによる音の発生を抑えることが可能である。
【００５６】
上記実施形態においては、移動扉１５側に移動片５４を設けた例について説明したが、吊元扉１４側に移動片５４を備えていても良い。
【００５７】
また、上記実施形態においては、２枚の扉で構成された折戸を例に挙げて説明したが、折戸は、３枚以上の扉にて構成されていてもよい。また、上記折戸は、一方の扉が固定されていたが、例えば、各扉の上下端部が幅方向における中央部にて回動自在且つレールに沿って移動可能に設けられて、いずれの扉も枠体側に固定されていない折戸であっても構わない。
【００５８】
上記実施形態においては、折戸２２が設けられ開口１３ａを形成する開口形成部を矩形状に枠組みされた枠体１３としたが、これに限るものではない。たとえば、三方枠や、パーテーションを形成する折戸が吊り下げられる上側のレール部材であっても構わない。
【００５９】
また、上記実施形態においては、移動扉１５、及び、吊元扉１４がいずれも面材２３が矩形状に框組みされた框にて囲まれている例について説明したが、移動扉１５、及び、吊元扉１４は、各々１枚のパネル体にて形成されていても良い。この場合には、互いに隣り合う２枚のパネル体が連結される隣接端部に、ラッチ機構が設けられる。
【００６０】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６１】
１  建具、５  ラッチ機構、９  連結部材、１０  上枠、１０ａ  上レール、
１０ｂ  下面部、１３  枠体、１３ａ  開口、１４  吊元扉、１５  移動扉、
２０  縦中框、２２  折戸、５０  ラッチ本体、５１  吊元扉側ラッチ部材、
５３  移動扉側ラッチ部材、５４  移動片、５４ａ  ラッチ片、５４ｅ  対向部、
５５  ケーシング、５５ａ  移動扉側キャップ部、５５ｆ  挿抜穴、５５ｇ  底部、
５６  マグネット、６０  マグネット、６１  マグネット、 Ｐ  回動軸
【図１】
0005829143.tif 000002
【図２】
0005829143.tif 000003
【図３】
0005829143.tif 000004
【図４】
0005829143.tif 000005
【図５】
0005829143.tif 000006
【図６】
0005829143.tif 000007
【図７】
0005829143.tif 000008
【図８】
0005829143.tif 000009